(57)【特許請求の範囲】
【請求項１】
防火扉に取り付けられたフックを係止する防火扉の係止装置であって、
上記フックを係止するラッチ部材と、
上記ラッチ部材をフックの係止状態にロックするロック位置と係止状態を解除するアンロック位置とに移動可能なロック部材と、
互いに回動可能に連結された第１および第２のリンクを有し、上記第１および第２のリンクがなす角度に応じて、上記ロック部材を上記ロック位置またはアンロック位置に移動させるリンク組と、
上記第１および第２のリンクがなす角度に応じて、上記リンク組における互いに異なる作用点に、順次、駆動力を作用させることにより、上記第１および第２のリンクがなす角度を変化させて、上記ロック部材をロック位置からアンロック位置に移動させる解除部材と、
を備え、
上記第１および第２のリンクがなす角度が第１の角度のときに、上記解除部材が第１の作用点に第１の駆動力を作用させ、
上記第１および第２のリンクがなす角度が第２の角度に変化したときに、上記解除部材が第２の作用点に第２の駆動力を作用させるとした場合に、
上記第２の作用点は、上記第２の駆動力が、上記第１および第２のリンクが成す角度を変化させるために上記第１の作用点に作用させる場合に必要な駆動力よりも小さくなる作用点であることを特徴とする防火扉の係止装置。
【請求項２】
請求項１の防火扉の係止装置であって、さらに、
上記第１のリンクを回動自在に支持する固定軸と、
上記第１および第２のリンクを互いに回動可能に連結するリンク連結軸と、
上記第２のリンクを上記ロック部材に連結するロック部材連結軸と、
を備え、
上記解除部材は、上記第１および第２のリンクのなす角度が所定以上の場合に、上記リンク連結軸の近傍に上記駆動力を作用させる一方、上記第１および第２のリンクのなす角度が所定以下の場合に、上記ロック部材連結軸の近傍に上記駆動力を作用させるように構成されていることを特徴とする防火扉の係止装置。
【請求項３】
請求項１または請求項２の防火扉の係止装置であって、
上記解除部材は、ソレノイドの作動によって上記駆動力を作用させるように構成されていることを特徴とする防火扉の係止装置。
【発明の詳細な説明】
【技術分野】
【０００１】
本発明は、ビル等の建造物に設置される防火扉を平常時は壁面に係止しておき、火災発生時に遠隔操作等によってその係止を解除し、防火扉を閉じるための防火扉の係止装置に関するものである。
【背景技術】
【０００２】
防火扉の係止装置としては、伸張状態と屈折状態との間で変化可能なトグルリンク機構を備え、上記トグルリンク機構をソレノイドにより駆動して、防火扉に取り付けられたフックの係止状態を解除する構成が知られている（例えば、特許文献１参照。）。
【先行技術文献】
【特許文献】
【０００３】
【特許文献１】特開２０１２−８７５７２号公報
【発明の概要】
【発明が解決しようとする課題】
【０００４】
上記のようなトグルリンク機構は、平常時にドアに加わる衝撃などによって不用意に係止状態が解除されるのを防止するためには、トグルリンク機構の安定度を高める必要があり、そのためには、係止状態でのリンクの角度を大きく設定したり、リンクを係止状態に保つばねを強く設定したりする必要がある。ところが、上記のようにしてトグルリンク機構の安定度を高めると、係止状態を解除するためのソレノイドが発生する駆動力を大きくする必要があり、消費電流が増大するという問題点を有していた。
【０００５】
本発明は、かかる点に鑑みてなされたものであり、トグルリンク機構の安定度を高めつつ、ソレノイドの消費電流を小さく抑え得るようにすることを目的としている。
【課題を解決するための手段】
【０００６】
第１の発明は、
防火扉に取り付けられたフックを係止する防火扉の係止装置であって、
上記フックを係止するラッチ部材と、
上記ラッチ部材をフックの係止状態にロックするロック位置と係止状態を解除するアンロック位置とに移動可能なロック部材と、
互いに回動可能に連結された第１および第２のリンクを有し、上記第１および第２のリンクがなす角度に応じて、上記ロック部材を上記ロック位置またはアンロック位置に移動させるリンク組と、
上記第１および第２のリンクがなす角度に応じて、上記リンク組における互いに異なる作用点に、順次、駆動力を作用させることにより、上記第１および第２のリンクがなす角度を変化させて、上記ロック部材をロック位置からアンロック位置に移動させる解除部材と、
を備えたことを特徴とする。
【発明の効果】
【０００７】
本発明では、トグルリンク機構の安定度を高めつつ、ソレノイドの消費電流を小さく抑えることが容易にできる。
【図面の簡単な説明】
【０００８】
【図１】防火扉の係止装置の要部の外観を示す斜視図である。
【図２】防火扉の係止装置の詳細な構成を示す分解斜視図である。
【図３】防火扉の係止装置の係止解除状態を示すソレノイド設置部３００、およびラッチ機構部１００の平面図である。
【図４】防火扉の係止装置の係止状態を示すソレノイド設置部３００、およびラッチ機構部１００の平面図である。
【発明を実施するための形態】
【０００９】
以下、本発明の実施形態を図面に基づいて詳細に説明する。なお、以下の説明では、便宜上、上下左右、奥、手前、時計回り、および反時計回り方向については、特に断りがなければ、図１、図２に示す方向を示す。
【００１０】
（防火扉の係止装置の概略構造）
本実施形態の防火扉の係止装置は、図１に示すように、ラッチ機構部１００と、その上方に配置されたソレノイド設置部３００とを有している。ラッチ機構部１００は、ラッチ板１３０によって、フック６００を係止するようになっている。上記フック６００は、取付プレート６０１にフックピン６０２が取り付けられて成り、取付プレート６０１に形成された取付孔６０３に挿通されるねじによって防火扉に取り付けられる。ソレノイド設置部３００には、上記ラッチ板１３０によるフック６００の係止状態を解除するソレノイド２３０が設けられている。なお、通常は、上記ソレノイド設置部３００を覆うカバーが設けられるが、ここでは説明の簡素化のために省略している。
【００１１】
（防火扉の係止装置の詳細な構造）
ラッチ機構部１００、およびソレノイド設置部３００は、より詳しくは、図２に示すように構成されている。
【００１２】
ラッチ機構部１００は、ケース１１０内に、ラッチ板１３０(ラッチ部材)、ロックレバー１４０(ロック部材)、ロックレバー基部支持ヨーク１５０、リンクレバー１６０、連結リンク１７０、および解除駆動レバー１８０(解除部材)等が収容され、カバープレート１２１により覆われて構成されている。
【００１３】
ケース１１０は、底板１１１と側壁１１２とから形成されている。底板１１１、およびカバープレート１２１には、フックピン６０２を案内する案内溝１１１ａ・１２１ａが形成されている。底板１１１には、また、ラッチ板軸１１３、リンクレバー軸１１４、解除駆動レバー軸１１５、およびばね受けピン１１６が立設されている。底板１１１には、また、カバープレート１２１のねじ孔１２１ｂに螺合するカバープレート固定ねじ５１１が挿通される孔１１１ｂ、および後述するロックレバー基部ピン５２１をカバープレート１２１の長孔１２１ｃと共に摺動可能に案内する長孔１１１ｃが形成されている。
【００１４】
ラッチ板１３０は、フックピン６０２に当接して係止するフック受け溝１３２を有し、回転軸孔１３１に上記ラッチ板軸１１３が挿通されて回動自在に設けられるとともに、一端部がばね受けピン１１６に当接するねじりコイルばね１３５によって時計回りに付勢されている。このラッチ板１３０は、係合部１３３がロックレバー１４０の係合部１４２と係合することによって、フック６００を係止状態に保持するようになっている。
【００１５】
ロックレバー１４０とロックレバー基部支持ヨーク１５０とは、基部ピン孔１４１・１５１に挿通されるロックレバー基部ピン５２１によって相対的に回動自在に設けられると共に、上記ロックレバー基部ピン５２１が底板１１１およびカバープレート１２１の案内溝１１１ａ・１２１ａに案内されて、手前−奥方向に移動可能になっている。ロックレバー基部支持ヨーク１５０は、ケース１１０の側壁１１２に形成された座繰り孔１１１ｄ、およびロックレバー基部支持ヨーク１５０の調整ねじ挿通孔１５２、および圧縮コイルばね１５４を通してカラー付ナット１５５に螺合される解除力調整ねじ１５３によって、上記ロックレバー基部ピン５２１の移動に要する力、すなわちフック６００の係止状態を手動で解除する力を調節できるようになっている。
【００１６】
ロックレバー１４０の基部ピン孔１４１と反対側の端部には、先端部ピン孔１４３が形成され、リンクレバー１６０、および連結リンク１７０（第１および第２のリンク、リンク組）が連結されている。より詳しくは、リンクレバー１６０は、一端側のピン孔１６１が、ケース１１０に立設されたリンクレバー軸１１４(固定軸)に回動自在に設けられている。リンクレバー１６０の他端側と、ロックレバー１４０の先端部側とは、これらを上下から挟む１対の連結リンク１７０と、これらに形成された先端部ピン孔１４３、ピン孔１７１・１７２・１６２、およびリンクピン５２２・５２３(ロック部材連結軸、リンク連結軸)によって連結されて、リンク機構が構成されている。また、リンクレバー１６０は、ねじりコイルばね１６３によって反時計回りに付勢されている。上記リンク機構によって、図４（ｂ）に示すようにリンクレバー１６０と連結リンク１７０とがほぼ直線状に並んで配置されているときに、ラッチ板１３０とロックレバー１４０の係合部１３３・１４２が係合してフックピン６０２の係止状態が保たれる一方、図３（ｂ）に示すようにリンクレバー１６０と連結リンク１７０とがくの字状に配置されているときに上記係止状態が解除されるようになっている。
【００１７】
上記リンクレバー１６０と連結リンク１７０の配置状態の遷移は、ケース１１０に立設された解除駆動レバー軸１１５が回転軸孔１８１に挿通されて回動自在に設けられた解除駆動レバー１８０によって行われるようになっている。より詳しくは、解除駆動レバー１８０の被駆動立ち上がり部１８２が、後に詳述するようにソレノイド２３０により駆動されて反時計回りに付勢されると、まず、解除駆動レバー１８０の駆動Ｕ字溝１８３がリンクピン５２３を図４（ｂ）における左方に移動させるように駆動し、その後、解除駆動レバー１８０の駆動垂下部１８４がロックレバー１４０の先端部または連結リンク１７０のロックレバー１４０側端部を奥方（同図における上方）に移動させるように、駆動するようになっている。
【００１８】
カバープレート１２１上には、解除力セットスライドプレート１９０が、ガイド長孔１９１を通してカバープレート１２１に螺合される段付ガイドねじ５３１により左右方向に摺動可能に設けられている。この解除力セットスライドプレート１９０は、ばね受け切片１９２と、カバープレート１２１に設けられたばね受けピン１２１ｆとの間に掛け渡された引張コイルばね５４１によって右方向に付勢され、カバープレート１２１のセットピン挿通窓１２１ｄを介して上方に延びるラッチ板１３０のセットピン１３４がセットピン受け孔１９５の内周に当接して左方向に移動するようになっている。また、ばね受け切片１９２には、後述する解除スライドプレート２１０のばね受け切片２１３との間に引張コイルばね５４２が掛け渡され、解除スライドプレート２１０を左方に付勢するようになっている。
【００１９】
カバープレート１２１上には、また、マイクロスイッチ５６１（検出部）が取り付けられ、解除力セットスライドプレート１９０のマイクロスイッチ駆動切片１９４によってスイッチレバー５６１ａが押圧されるようになっている。
【００２０】
解除力セットスライドプレート１９０の上方には、プランジャ２３１を有するソレノイド２３０が設けられている。ソレノイド２３０の取付方法は特に限定されず、例えばケース１１０の奥側の側壁１１２をソレノイド設置部３００にまで立ち上げて、これに取り付けてもよいし、カバープレート１２１上に、スペーサ等を介して、解除力セットスライドプレート１９０が配置される隙間を空けて取り付けるなどしてもよい。上記ソレノイド２３０の手前側の側方には、解除スライドプレート２１０が、スライドプレート部２１１に形成されたガイド長孔２１２を通してソレノイド２３０の側面に螺合される段付ガイドねじ５５１により、左右方向に摺動可能に設けられている。解除スライドプレート２１０の一端部には、ソレノイド当接部２１４が設けられ、上記引張コイルばね５４２の付勢力によってソレノイド２３０のプランジャ２３１に押しつけられるようになっている。解除スライドプレート２１０の下方側には、解除駆動部２１５が形成され、ソレノイド２３０が作動したときに、カバープレート１２１の解除駆動レバー挿通窓１２１ｅ、および解除力セットスライドプレート１９０の解除レバー逃げ部１９６を介して上方に延びる解除駆動レバー１８０の被駆動立ち上がり部１８２を左方に駆動し得るようになっている。
【００２１】
ソレノイド２３０は、種々のタイプのものを用いることができ、通電によって発生する磁界によってプランジャが引き込まれるタイプのものも適用可能であるが、例えばキープソレノイドと呼ばれるタイプのソレノイドが好適に用いられる。この種のソレノイドは、プランジャと一体的に移動する吸着部が、プランジャが突出した位置にあるときにマグネットに密着した状態となり、コイルへの通電により上記マグネットと逆の磁界を発生させて、別途設けられるばねの付勢力により、プランジャが押し込まれるようになっている。具体的なソレノイド２３０の諸元としては、例えば、評定規格でDC１８〜３２V、定格で２４V、コイルの抵抗が７００Ω、消費電流が３４ｍＡのものなどが用いられる。
【００２２】
（防火扉の係止装置の動作−解除状態から係止状態）
防火扉の係止装置が解除状態のときには、図３（ａ）（ｂ）に示すように、ラッチ板１３０はねじりコイルばね１３５の付勢力によって時計回りに回動した位置にある。このとき、リンクレバー１６０と連結リンク１７０とは、互いになす角度が小さくなった、くの字型になっている。また、解除力セットスライドプレート１９０は、引張コイルばね５４１の付勢力によって、右方位置に位置している。
【００２３】
上記のような状態で、同図に矢印Ａで示すようにフック６００のフックピン６０２が案内溝１１１ａ・１２１ａに向けて進入してくると、ラッチ板１３０は、フック受け溝１３２の一方側がフックピン６０２によって押しつけられ、反時計回りに回動する。フックピン６０２が十分に進入すると、図４（ａ）（ｂ）に示すように、ロックレバー１４０の係合部１４２がラッチ板１３０の係合部１３３に係合し、ラッチ板１３０の時計回り（解除方向）の回動が規制されてフック６００が係止される係止状態となる。
【００２４】
このとき、ロックレバー１４０の先端部（先端部ピン孔１４３側）は、手前側（図４（ｂ）における下方側）に移動し、リンクレバー１６０と連結リンク１７０とは、ほぼ直線状に並んで配置される状態になる。
【００２５】
また、解除力セットスライドプレート１９０は、ラッチ板１３０のセットピン１３４の回転移動に伴って、セットピン受け孔１９５の内周縁が押され、引張コイルばね５４１の付勢力に抗して左方に移動する。そこで、解除力セットスライドプレート１９０と解除スライドプレート２１０のばね受け切片１９３・２１３に掛け渡された引張コイルばね５４２の付勢力が増大し、この増大した付勢力によって解除スライドプレート２１０のソレノイド当接部２１４がソレノイド２３０のプランジャ２３１に押しつけられる。
【００２６】
また、このとき、解除力セットスライドプレート１９０のマイクロスイッチ駆動切片１９４によって、マイクロスイッチ５６１のスイッチレバー５６１ａが押圧される。
【００２７】
（防火扉の係止装置の動作−係止状態から解除状態）
次に、ソレノイド２３０が通電されて作動すると、プランジャ２３１が引き込まれ、解除スライドプレート２１０が左方に移動する。より詳しくは、解除スライドプレート２１０は、引張コイルばね５４２によって左方に付勢されているので、ソレノイド２３０への通電により、プランジャ２３１を突出位置に保持するマグネットの磁界が打ち消されることによって、解除スライドプレート２１０が左方に移動する。具体的には、例えば無通電時のマグネットの磁界によるプランジャ２３１の突出位置への吸着力が１．７ｋｇｆ、引張コイルばね５４２のセット時（６ｍｍ伸張状態）の付勢力が１ｋｇｆとすると、ソレノイド２３０は、差し引き７００ｇｆの付勢力で解除スライドプレート２１０を係止していることになる。そして、例えば２４Ｖの電圧がソレノイド２３０に通電されてマグネットの吸着力が完全に相殺されたとすると、解除スライドプレート２１０は引張コイルばね５４２の１ｋｇの付勢力で左方に移動させられる。ここで、例えば通電電圧が１４Ｖのときにマグネットの残留磁気による吸着力が４００ｇｆ、１８Ｖのときにはさらにそれよりも小さいとすると、これらの電圧でも余裕を持ってプランジャーを解放できることになる。なお、この種のソレノイド２３０では、マグネットに密着している吸着部が通電によって一旦マグネットから離れると、吸着力が急激に低下するので引張コイルばね５４２の付勢力が支配的となる。
【００２８】
解除スライドプレート２１０が左方に移動すると、解除スライドプレート２１０の解除駆動部２１５は解除駆動レバー１８０の被駆動立ち上がり部１８２を左方に移動させる。被駆動立ち上がり部１８２が左方に移動するのに伴って、解除駆動レバー１８０の駆動Ｕ字溝１８３はリンクピン５２３を作用点として左方に押しつける。このとき、前記のようにリンクレバー１６０と連結リンク１７０とはほぼ直線状に並んで配置されているので、小さな力でリンクピン５２３を左方、リンクピン５２２を奥方向に移動させることができる。やがて、リンクレバー１６０と連結リンク１７０とのなす角度がある程度小さくなると、今度は解除駆動レバー１８０の駆動垂下部１８４がロックレバー１４０の先端部または連結リンク１７０のロックレバー１４０側端部を作用点として、奥方（図４（ｂ）における上方）に移動させるように駆動する。すなわち、リンクレバー１６０と連結リンク１７０とが屈曲した状態で、その屈曲を助長する力が作用するので、やはり、小さな力で、リンクピン５２３を左方、リンクピン５２２を奥方向に移動させることができる。これにより、ラッチ板１３０とロックレバー１４０との係合部１３３・１４２の係合が解除され、フック６００の係止状態が解除され、防火扉が閉塞され得る状態になる。
【００２９】
また、このとき、解除力セットスライドプレート１９０のマイクロスイッチ駆動切片１９４によるマイクロスイッチ５６１のスイッチレバー５６１ａの押圧が解除される。
【００３０】
（防火扉の係止装置の動作−係止状態から手動解除）
前記、および図４（ａ）（ｂ）に示したように、ロックレバー１４０の係合部１４２がラッチ板１３０の係合部１３３に係合し、ラッチ板１３０の時計回り（解除方向）の回動が規制されてフック６００が係止される係止状態で、人手によって、防火扉がフック６００のフックピン６０２を引抜く方向に強く引かれると、次のようにして係止状態が解除される。すなわち、フックピン６０２を引抜く方向の力がラッチ板１３０に作用すると、ラッチ板１３０は時計回りに回動しようとし、ラッチ板１３０とロックレバー１４０の係合部１３３・１４２のかみ合いによって、ロックレバー１４０の基部を奥方向に押す力が作用する。この力が所定以上になると、圧縮コイルばね１５４によるロックレバー基部支持ヨーク１５０を手前方向に付勢する付勢力に抗して、ロックレバー基部ピン５２１が奥方向に移動する。そこで、ラッチ板１３０とロックレバー１４０の係合部１３３・１４２の係合が解除され、ラッチ板１３０が時計回りに回って、フック６００のフックピン６０２の係止状態が解除され、防火扉を閉じることができるようになる。
【００３１】
上記のように、リンクレバー１６０と連結リンク１７０とのなす角度に応じて多段階に係止解除のための力が作用することによって、ソレノイド２３０への通電電流を小さく抑えても確実に解除動作させることが容易にできる。
【００３２】
また、マイクロスイッチ５６１が、カバープレート１２１によりラッチ板１３０等と隔たって設けられているので、案内溝１１１ａ・１２１ａ部分の開口部から進入するほこりやラッチ板１３０付近の油分などによる汚染を少なく抑えることが容易にでき、マイクロスイッチ５６１の動作不良を容易に抑制することができる。特に、ソレノイド２３０が、カバープレート１２１に形成されたセットピン挿通窓１２１ｄや解除駆動レバー挿通窓１２１ｅを覆うように配置される場合には、マイクロスイッチ５６１の動作不良を抑制する効果を一層高めることができる。
【００３３】
(その他の事項)
上記の例では、解除駆動レバー１８０に、リンクピン５２３を移動させる駆動Ｕ字溝１８３が形成されている例を示したが、必ずしもＵ字溝に限らず、リンクレバー１６０と連結リンク１７０とのなす角度が大きいときにリンクピン５２３を左方に押すことができ、その後、解除駆動レバー１８０の駆動垂下部１８４がリンクピン５２２を押す際のリンクピン５２３の移動を妨げない形状であればよい。
【００３４】
また、解除駆動レバー１８０の駆動垂下部１８４によってリンクピン５２２を駆動するのに限らず、駆動Ｕ字溝１８３と同様のＵ字溝等を解除駆動レバー１８０に形成して駆動するなどしてもよい。
【００３５】
また、ラッチ板１３０とロックレバー１４０の係合部１３３・１４２を係合させるようにするための付勢力は、上記のようにリンクレバー１６０を反時計回りに回動させるよう付勢するねじりコイルばね１６３に限らず、解除駆動レバー１８０を時計回りに回動させるよう付勢するばねを設けるようにしてもよいし、ロックレバー１４０を時計回りに回動させるよう付勢するばねを設けるようにしてもよく、さらにこれらの２つ以上を組み合わせて用いるようにしてもよい。
【００３６】
また、解除駆動レバー１８０は１つの部材で構成するのに限らず、それぞれの作用点ごとに駆動力を作用させる部材に分けるようにしてもよい。
【００３７】
また、各部材の当接部の少なくとも一部は、摩擦接触に変えて、ローラを介して転がり接触するようにしてもよい。
【００３８】
また、上記のような構成に加えて、ソレノイド２３０に一旦通電されて解除状態になった後、そのままでは防火扉を開いてフック６００が押しつけられても係止状態にならないようにする、いわゆる再ロック防止機構が組み合わされてもよい。また、そのような機構が設けられる場合には、再ロック防止状態であるかどうかを検出するためのマイクロスイッチ等がマイクロスイッチ５６１に重ねて設けられるなどしてもよい。
【符号の説明】
【００３９】
１００      ラッチ機構部
１１０      ケース
１１１      底板
１１１ａ    案内溝
１１１ｂ    孔
１１１ｃ    長孔
１１１ｄ    座繰り孔
１１２      側壁
１１３      ラッチ板軸
１１４      リンクレバー軸
１１５      解除駆動レバー軸
１１６      ばね受けピン
１２１      カバープレート
１２１ａ    案内溝
１２１ｂ    ねじ孔
１２１ｃ    長孔
１２１ｄ    セットピン挿通窓
１２１ｅ    解除駆動レバー挿通窓
１２１ｆ    ばね受けピン
１３０      ラッチ板
１３１      回転軸孔
１３２      フック受け溝
１３３      係合部
１３４      セットピン
１３５      ねじりコイルばね
１４０      ロックレバー
１４１      基部ピン孔
１４２      係合部
１４３      先端部ピン孔
１５０      ロックレバー基部支持ヨーク
１５１      基部ピン孔
１５２      調整ねじ挿通孔
１５３      解除力調整ねじ
１５４      圧縮コイルばね
１５５      カラー付ナット
１６０      リンクレバー
１６１      ピン孔
１６２      ピン孔
１６３      ねじりコイルばね
１７０      連結リンク
１７１      ピン孔
１７２      ピン孔
１８０      解除駆動レバー
１８１      回転軸孔
１８２      被駆動立ち上がり部
１８３      駆動Ｕ字溝
１８４      駆動垂下部
１９０      解除力セットスライドプレート
１９１      ガイド長孔
１９２      ばね受け切片
１９３      ばね受け切片
１９４      マイクロスイッチ駆動切片
１９５      セットピン受け孔
１９６      解除レバー逃げ部
２１０      解除スライドプレート
２１１      スライドプレート部
２１２      ガイド長孔
２１３      ばね受け切片
２１４      ソレノイド当接部
２１５      解除駆動部
２３０      ソレノイド
２３１      プランジャ
３００      ソレノイド設置部
５１１      カバープレート固定ねじ
５２１      ロックレバー基部ピン
５２２      リンクピン
５２３      リンクピン
５３１      段付ガイドねじ
５４１      引張コイルばね
５４２      引張コイルばね
５５１      段付ガイドねじ
５６１      マイクロスイッチ
５６１ａ    スイッチレバー
６００      フック
６０１      取付プレート
６０２      フックピン
６０３      取付孔
【図１】
0006584810.tif 000002
【図２】
0006584810.tif 000003
【図３】
0006584810.tif 000004
【図４】
0006584810.tif 000005